【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
結像光に応じた第１の画像成分と非結像光に応じた第２の画像成分とを含む画像データの処理を行う画像処理方法であって、
前記画像データを取得するステップと、
前記画像データに対し、前記第２の画像成分を前記第１の画像成分に対して特徴付けるエッジ処理を行うステップとを有することを特徴とする画像処理方法。
【請求項２】
前記エッジ処理を行うステップにおいて、前記画像データを複数の領域に分割し、該分割領域ごとに異なるエッジ処理を行うことを特徴とする請求項１に記載の画像処理方法。
【請求項３】
前記エッジ処理が行われた画像データに対して色相値に変換する処理を行うステップを有することを特徴とする請求項１又は２に記載の画像処理方法。
【請求項４】
前記エッジ処理が行われたエッジ画像データ又は該エッジ画像データに色相値に変換する処理を行った色相画像データを用いて、前記第２の画像成分の領域を特定する領域特定処理を行うステップを有することを特徴とする請求項１から３のいずれか１つに記載の画像処理方法。
【請求項５】
前記画像データにおける輝度飽和画素を検出し、前記エッジ処理が行われたエッジ画像データ又は該エッジ画像データに色相値に変換する処理を行った色相画像データを用いて、前記検出された輝度飽和画素のうち前記第２の画像成分に関わる画素を特定する画素特定処理を行うステップと、
前記特定された画素を基準として、前記第２の画像成分の領域を特定する領域特定処理を行うステップとを有することを特徴とする請求項１から３のいずかれ１つに記載の画像処理方法。
【請求項６】
前記画素特定処理において、複数色の前記画像データのうちすべての色の画像データにおいて輝度が飽和している画素を前記輝度飽和画素として検出することを特徴とする請求項５に記載の画像処理方法。
【請求項７】
前記領域特定処理を、前記エッジ画像データ又は前記色相画像データと、メモリに記憶された領域特定用データとを用いて行うことを特徴とする請求項４又は５に記載の画像処理方法。
【請求項８】
前記特定された領域において、前記第２の画像成分の視認性を低減させる補正処理を行うステップを有することを特徴とする請求項４又は５に記載の画像処理方法。
【請求項９】
前記第１の画像成分が、特定の回折次数の光に応じた画像であり、前記第２の画像成分が前記特定の回折次数以外の回折次数の光に応じた画像であることを特徴とする請求項１から８のいずれか１つに記載の画像処理方法。
【請求項１０】
結像光に応じた第１の画像成分と非結像光に応じた第２の画像成分とを含む画像データを処理する画像処理装置であって、
前記画像データを取得する画像取得手段と、
前記画像データに対し、前記第２の画像成分を前記第１の画像成分に対して特徴付けるエッジ処理を行うエッジ処理手段とを有することを特徴とする画像処理装置。
【請求項１１】
前記エッジ処理手段において、前記画像データを複数の領域に分割し、該分割領域ごとに異なるエッジ処理を行うことを特徴とする請求項１０に記載の画像処理装置。
【請求項１２】
前記エッジ処理が行われた画像データに対して色相値に変換する処理を行う色相変換手段を有することを特徴とする請求項１０又は１１に記載の画像処理装置。
【請求項１３】
前記エッジ処理が行われたエッジ画像データ又は該エッジ画像データに色相値に変換する処理を行った色相画像データを用いて、前記第２の画像成分の領域を特定する領域特定手段を有することを特徴とする請求項１０から１２のいずれか１つに記載の画像処理装置。
【請求項１４】
前記画像データにおける輝度飽和画素を検出し、前記エッジ処理が行われたエッジ画像データ又は該エッジ画像データに色相値に変換する処理を行った色相画像データを用いて、前記検出された輝度飽和画素のうち前記第２の画像成分に関わる画素を特定する画素  特定手段と、
前記特定された画素を基準として、前記第２の画像成分の領域を特定する領域特定手段とを有することを特徴とする請求項１０から１２のいずれか１つに記載の画像処理装置。
【請求項１５】
前記画素特定手段は、複数色の前記画像データのうちすべての色の画像データにおいて輝度が飽和している画素を前記輝度飽和画素として検出することを特徴とする請求項１４に記載の画像処理装置。
【請求項１６】
前記特定された領域において、前記第２の画像成分の視認性を低減させる処理を行う補正手段を有することを特徴とする請求項１３又は１４に記載の画像処理装置。
【請求項１７】
前記第１の画像成分が、特定の回折次数の光に応じた画像であり、前記第２の画像成分が前記特定の回折次数以外の回折次数の光に応じた画像であることを特徴とする請求項１０から１６のいずれか１つに記載の画像処理装置。
【請求項１８】
回折面を含む光学系と、
該光学系により形成された光学像を光電変換する撮像素子と、
前記撮像素子を用いて取得した画像データを処理する請求項１０から１７のいずれか１つに記載の画像処理装置と、
前記画像処理装置により処理された画像データを出力する出力手段とを有することを特徴とする撮像システム。
【請求項１９】
請求項１から９のいずれか１つに記載の画像処理方法をコンピュータに実行させるプログラムであることを特徴とする画像処理プログラム。
【手続補正２】
【補正対象書類名】明細書
【補正対象項目名】００７２
【補正方法】変更
【補正の内容】
【００７２】
そして、ステップ２０６において、上記４方向のうち、少なくとも１方向における各色成分の色相平均値が下記の（１）式で示す条件を満たしているか否かを判別する。満たしている場合には、その処理対象画素（輝度飽和画素）をフレア画像の発生に関わる画素、つまりはフレア画像を引き起こした光源像に対応する画素（フレア発生基点画素）である可能性を有するフレア発生暫定画素と判別する。そして、フレア発生暫定画素に対して、それを示すフラグを立てる。
【手続補正３】
【補正対象書類名】明細書
【補正対象項目名】００９３
【補正方法】変更
【補正の内容】
【００９３】
また、本実施例では、フレア補正処理において色滲みの補正処理を行う場合について説明したが、本発明のフレア補正処理はこれに限られない。例えば、フレア発生基点画素の大きさに応じて被写体輝度分布を推定し、０，２次フレアとのコンボリューションをとって原画像データから減算してもよい。また、輝度飽和画素検出部３３ｂにおいて輝度飽和画素が存在しない場合は、エッジ処理部３３ａにおけるエッジ処理、フレア発生有無検出部３３ｃにおけるフレア画像の有無の検出処理、フレア補正処理部３３ｄにおけるフレア画像の補正処理をスキップすることが好ましい。
【手続補正４】
【補正対象書類名】明細書
【補正対象項目名】００９８
【補正方法】変更
【補正の内容】
【００９８】
ステップ４０１において、処理命令入力インターフェース７０を介して処理実行命令が入力されると、ハードディスク８０からＲＡＭ９０に処理アプリケーション、処理パラメータ、画像データ、各画像撮影時のレンズのステートデータおよび各レンズステートでの結像特性データが転送される。以下、ＲＡＭ９０に展開されたデータを用いてＣＰＵ５０が演算処理を行う。
【手続補正５】
【補正対象書類名】明細書
【補正対象項目名】０１０４
【補正方法】変更
【補正の内容】
【０１０４】
一方、軸外点においては、結像回折光の像を中心に、その回折次数に対して小さい次数の像および大きい次数の像が、その重心を軸上点を基準とした動径方向に沿って、互いに別々の方向に分離していく。その分離幅は、結像回折次数から離れるほど大きくなる。また、不要回折光の像は、画角が大きくなるに従って、同心円形状から楕円形状となっていく。
【手続補正６】
【補正対象書類名】明細書
【補正対象項目名】０１０８
【補正方法】変更
【補正の内容】
【０１０８】
また、エッジ処理を行う前の原画像データを基に、原画像データにおいて全表色とも輝度が飽和している画素の位置（アドレス）を検出する。ここで、ステップ４０６では、検出された輝度飽和画素に対して、この後に行われる輝度飽和画素を基点としたフレア画像の有無検出処理の計算時間を短縮するために、一定の間隔で間引きを行い、処理対象となる輝度飽和画素を減じる。ここにいう一定の間隔は、予めハードディスク８０に格納されている値あるいは処理命令入力インターフェース７０を介して指定される値である。また、軸上点から軸外点にかけて、間引き率を変化させるようにしてもよい。
【手続補正７】
【補正対象書類名】明細書
【補正対象項目名】０１０９
【補正方法】変更
【補正の内容】
【０１０９】
続いて、ステップ４０７〜４０８では、フレア画像の有無検出処理に入る。エッジ処理、色相値に変換する処理がなされた色相画像データと、輝度飽和画素の検出処理および画素の間引き処理を経て得られた輝度飽和画素のアドレスデータとを用いて、フレア画像の有無検出を行う。ここでの処理は、処理対象となる輝度飽和画素のアドレスデータを順次設定し（ステップ４０７）、それぞれの画素位置に入射した結像次数光に対して異なる次数の回折光によりフレア画像が発生したかどうかを検出する処理を行う。そして、フレア画像の発生基点と判別された画素は、フレア発生基点画素として特定される。
【手続補正８】
【補正対象書類名】明細書
【補正対象項目名】０１１４
【補正方法】変更
【補正の内容】
【０１１４】
（２）式の条件の検査を上記４方向全てに対して行い（ステップ５０６）、４方向中１方向でも該条件を満たし、かつ結像次数に対する次数の差分の絶対値が等しい他の回折次数光（例えば、１次が結像次数である場合には、０次と２次が対応関係にある）における判定も満たしていれば（ステップ５０７）、その処理対象画素をフレア発生基点画素として特定する。この処理を全対象画素に対して行い、フレア発生基点画素データを得る。